(57)【要約】【課題】配置自由度の大きい電力変換回路と配置自由度の大きいフィルタ回路とを備え、さらに、充分にノイズ低減された電圧を出力することができる電力変換装置を提供する。【解決手段】本発明の電力変換装置には、ベースプレート１上に電力変換回路３と、電力変換回路３の入力側に接続する入力フィルタ回路２と、電力変換回路の出力側に接続する出力フィルタ回路４とが実装されている。ここで、電力変換回路３は電力変換回路カバー６で覆われ、入力フィルタ回路２は入力側カバー５で覆われ、出力フィルタ回路４は出力側カバー７で覆われている。【選択図】  図１
2006180578.tif 000002
【特許請求の範囲】
【請求項１】
電力変換回路と、
前記電力変換回路に接続するフィルタ回路と、
少なくとも前記電力変換回路を覆う第１筐体と、
前記第１筐体に並置され前記フィルタ回路を覆う第２筐体と、
を備えることを特徴とする電力変換装置。
【請求項２】
前記電力変換回路および前記フィルタ回路は、同一のベースプレート上に実装される請求項１に記載の電力変換回路。
【請求項３】
前記フィルタ回路は、前記電力変換回路の入力側に接続する入力フィルタ回路および出力側に接続する出力フィルタ回路の少なくとも一方である請求項２に記載の電力変換装置。
【請求項４】
前記第１筐体は、前記第２筐体に対して電気的に絶縁する請求項２または３に記載の電力変換装置。
【請求項５】
前記第２筐体は、絶縁性材料からなる請求項４に記載の電力変換装置。
【請求項６】
前記第１筐体は、前記第２筐体に対して空隙を介して配置される請求項４に記載の電力変換装置。
【請求項７】
前記第１筐体は、導電性材料、磁性材料、導電性材料および磁性材料の組み合わせ材料の中から選択されたいずれかの材料からなる請求項４乃至６に記載の電力変換装置。
【請求項８】
前記第２筐体は、導電性材料、磁性材料、導電性材料および磁性材料の組み合わせ材料の中から選択されたいずれかの材料からなる請求項４、６、７のいずれかに記載の電力変換装置。
【請求項９】
電力変換回路と、
前記電力変換回路の入力側に接続する入力フィルタ回路と、
前記電力変換回路の出力側に接続する出力フィルタ回路と、
少なくとも前記電力変換回路を覆う第１筐体と、
前記第１筐体に並置され前記入力フィルタ回路を覆う入力筐体と、
前記第１筐体および前記入力筐体に並置され前記出力フィルタ回路を覆う出力筐体と、
を備えることを特徴とする電力変換装置。
【請求項１０】
前記電力変換回路、前記入力フィルタ回路および前記出力フィルタ回路は、同一のベースプレート上に実装される請求項９に記載の電力変換回路。
【請求項１１】
前記第１筐体は、前記入力筐体および前記出力筐体に対して電気的に絶縁する請求項１０に記載の電力変換装置。
【請求項１２】
前記入力筐体および前記出力筐体の少なくとも一方は、絶縁性材料からなる請求項１１に記載の電力変換装置。
【請求項１３】
前記入力筐体および前記出力筐体の少なくとも一方は、前記第１筐体に対して空隙を介して配置される請求項１１に記載の電力変換装置。
【請求項１４】
前記第１筐体は、導電性材料、磁性材料、導電性材料および磁性材料の組み合わせ材料の中から選択されたいずれかの材料からなる請求項１１乃至１３に記載の電力変換装置。
【請求項１５】
前記入力筐体および前記出力筐体の少なくとも一方は、導電性材料、磁性材料、導電性材料および磁性材料の組み合わせ材料の中から選択されたいずれかの材料からなる請求項１１、１３、１４のいずれかに記載の電力変換装置。
【発明の詳細な説明】
【技術分野】
【０００１】
本発明は、インバータ、コンバータ、モータ駆動回路などの電力変換回路を備える電力変換装置に関するものである。
【背景技術】
【０００２】
電力変換装置には、電力変換回路の入力側に入力フィルタ回路、電力変換回路の出力側に出力フィルタ回路などのフィルタ回路が接続されているものがある。そして、電力変換装置から電力変換装置外に配置される電子機器等へ空間伝搬して混入しようとするノイズの低減を目的の１つとして、電力変換回路を含む電力変換装置全体を筐体で覆っているものがある。さらに、例えば特許文献１によると、同一筐体を用いて電力変換回路およびフィルタ回路を覆い、かつ筐体に設けられている仕切壁により電力変換回路とフィルタ回路とを仕切っている。
【特許文献１】特開２００１−４４６８５号公報
【発明の開示】
【発明が解決しようとする課題】
【０００３】
しかしながら、この筐体には仕切壁が設けられているため、電力変換回路に対するフィルタ回路の配置自由度は小さいものとなる。そのため、例えば、フィルタ回路の配置位置に変更が生じた場合、筐体の構造設計から変更しなければならないおそれがある。また、電力変換装置全体を同一筐体で覆うと、電力変換回路から放射され空間伝播するノイズや筐体を流れる渦電流に起因して発生する電磁ノイズが電力変換回路に接続されている入力フィルタ回路および出力フィルタ回路に重畳し、電磁誘導作用によりフィルタ性能を低下させてしまうおそれがある。
【課題を解決するための手段】
【０００４】
そこで、第１発明の電力変換装置は、電力変換回路と、前記電力変換回路に接続するフィルタ回路と、少なくとも前記電力変換回路を覆う第１筐体と、前記第１筐体に並置され前記フィルタ回路を覆う第２筐体とを備える。
【０００５】
さらに、第２発明の電力変換装置は、電力変換回路と、前記電力変換回路の入力側に接続する入力フィルタ回路と、前記電力変換回路の出力側に接続する出力フィルタ回路と、少なくとも前記電力変換回路を覆う第１筐体と、前記第１筐体に並置され前記入力フィルタ回路を覆う入力筐体と、前記第１筐体および前記入力筐体に並置され前記出力フィルタ回路を覆う出力筐体とを備える。
【０００６】
ここで、並置とは、包含関係にないことを意味する。例えば、第１発明の場合、第２筐体は第１筐体に並置されている。これは、具体的には、第２筐体を第１筐体内に配置させ構成とするものではなく、第１筐体を第２筐体内に配置させ構成とするものでもないことを意味する。
【発明の効果】
【０００７】
第１発明の電力変換装置によれば、電力変換回路を覆う筐体と、電力変換回路に接続するフィルタ回路のうち少なくとも１つを覆う筐体とが異なる筐体であるため、電力変換回路の配置自由度およびフィルタ回路の配置自由度を大きいものにすることができる。つまり、第１発明の電力変換装置は、電力変換回路を第１筐体で覆いフィルタ回路を第２筐体で覆う構成であるため、例えば、第２筐体で覆われているフィルタ回路の配置位置に変更が生じた場合、第２筐体の構造設計を変更することなく第２筐体の配置位置を変更するだけでよい。
【０００８】
第２発明の電力変換装置も、上述した第１発明の電力変換装置と同様の効果を発揮する。具体的には、第２発明の電力変換装置の場合、電力変換回路を第１筐体で覆い、入力フィルタ回路を入力筐体で覆い、さらに出力フィルタ回路を出力筐体で覆う構成であるため、筐体に覆われているいずれかの回路の配置位置に変更が生じた場合でも、筐体の構造設計を変更することなく、筐体の配置位置を変更するだけでよい。
【発明を実施するための最良の形態】
【０００９】
第１発明の電力変換装置は、上述したように、電力変換回路と、フィルタ回路と、第１筐体と、第２筐体とを備えている。
【００１０】
ここで、前記電力変換回路および前記フィルタ回路は、同一のベースプレート上に実装されるようにしてもよい。これにより、スペースの有効活用および部品点数の削減を図ることができる。
【００１１】
ここで、前記フィルタ回路は、ノイズフィルタを含むものであり、前記電力変換回路の入力側に接続する入力フィルタ回路および出力側に接続する出力フィルタ回路の少なくとも一方としてもよい。フィルタ回路が入力フィルタ回路である場合、第１筐体が少なくとも電力変換回路を覆い、第２筐体が入力フィルタ回路を覆うことになる。一方、フィルタ回路が出力フィルタ回路である場合、第１筐体が少なくとも電力変換回路を覆い、第２筐体が出力フィルタ回路を覆うことになる。そして、フィルタ回路が入力フィルタ回路および出力フィルタ回路である場合、第１筐体が、少なくとも電力変換回路を覆い、第２筐体が、入力フィルタ回路および出力フィルタ回路を覆う。
【００１２】
この入力フィルタ回路は、電力変換回路から電力変換回路の外部へ漏洩しようとするノイズおよび電力変換装置の外部から電力変換回路へ混入しようとするノイズを低減する。一方、出力フィルタ回路は、電気変換回路から出力される電圧に混入するノイズを低減する。これらにより、ノイズ低減された電圧を電力変換装置から出力することができる。さらに、例えば、電力変換回路が降圧ＤＣ−ＤＣコンバータの場合には、電力変換回路の出力側に流れる電流は大きくなる。これにともない、電力変換回路の出力側に流れる電流に混入するノイズも大きくなる。つまり、電力変換回路から出力フィルタ回路に混入するノイズが大きくなる。こうなると、出力フィルタ回路のノイズ低減効果が損なわれるおそれが生じる。そこで、出力フィルタ回路を第１筐体とは異なる第２筐体で覆えば、電力変換回路から出力フィルタ回路に混入しようとするノイズをより低減することができる。そうすると、出力フィルタ回路のノイズ低減効果を損なわせることなく、出力フィルタ回路のノイズ低減効果を保持することができる。すなわち、フィルタ回路、特に出力フィルタ回路を第２筐体で覆うことにより、充分にノイズ低減された電圧を電力変換装置から出力することができる。
【００１３】
また、前記第１筐体は、前記第２筐体に対して絶縁するようにしてもよい。これにより、電力変換装置から出力される電圧に混入するノイズを低減することができる。以下にその理由を説明する。
【００１４】
電力変換回路および電力変換装置外に配置される電子機器（以下、「外部機器」と称する）から放射され空間伝搬するノイズが、第１筐体近傍で電磁誘導作用により、第１筐体表面に渦電流を発生させる。ここで、第１筐体が第２筐体に絶縁していない場合、この渦電流は、第１筐体表面から第２筐体表面に流れる。そして、第２筐体表面に流れた渦電流は、フィルタ回路近傍に磁界を発生させる。この磁界の発生が電磁ノイズとしてフィルタ回路に混入し、フィルタ回路のノイズ低減効果を損なわせる。そうすると、電力変換装置からは、充分にノイズ低減されていない電圧が出力される。
【００１５】
これに対して、第１筐体が第２筐体に絶縁している場合、第１筐体表面に発生した渦電流は第２筐体表面に流れない。その結果、フィルタ回路のノイズ低減効果が損なわれることなく、充分にノイズ低減された電圧が出力される。
【００１６】
ここで、第１筐体を第２筐体から絶縁する手段の１つとして、前記第２筐体を絶縁性材料からなるようにしてもよい。この第２筐体を絶縁性材料である、例えば、樹脂材料からなるようにした場合、第２筐体を第１筐体に接触させるように配置することもできる。これは、スペースの有効活用につながる。さらに、この第２筐体を樹脂材料からなるようすれば、第２筐体の軽量化、すなわち電力変換装置の軽量化を図ることができるし、第２筐体の加工および取付作業の簡易化を図ることもできる。
【００１７】
さらには、前記第１筐体を前記第２筐体に対して空隙を介して配置してもよい。こうすることにより、簡易に第１筐体を第２筐体から絶縁することができる。
【００１８】
また、第１筐体を第２筐体に対して空隙を介して配置するなどして、第１筐体を第２筐体から電気的に絶縁させていれば、前記第１筐体は、導電性材料、磁性材料、導電性材料および磁性材料の組み合わせ材料の中から選択されたいずれかの材料からなるようにしてもよい。例えば、第１筐体は、鉄材料もしくはマグネシウムを主成分とするマグネシウム合金からなるようにしてもよい。これにより、電力変換回路から電力変換装置外部へ漏洩しようとするノイズをより一層低減することができる。
【００１９】
このように、第１筐体が第２筐体に対して電気的に絶縁させている場合、第２筐体も第１筐体と同様に、導電性材料、磁性材料、導電性材料および磁性材料の組み合わせ材料の中から選択されたいずれかの材料からなるようにしてもよい。
【００２０】
一方、第２発明の電力変換装置は、上述したように、電力変換回路と、入力フィルタ回路と、出力フィルタ回路と、第１筐体と、入力筐体と、出力筐体とを備えている。
【００２１】
ここで、前記電力変換回路、前記入力フィルタ回路および前記出力フィルタ回路は、同一のベースプレート上に実装されるようにしてもよい。これにより、第１発明において電力変換回路およびフィルタ回路を同一のベースプレート上に実装する場合と同様に、スペースの有効活用および部品点数の削減を図ることができる。
【００２２】
ここで、第１筐体は、前記入力筐体および前記出力筐体に対して電気的に絶縁するようにしてもよい。これは、第１発明において、第１筐体を第２筐体に対して絶縁する場合と同様の効果を有する。これにより、電力変換装置から出力される電圧に混入するノイズを低減することができる。
【００２３】
そこで、第１筐体を入力筐体および出力筐体に対して電気的に絶縁する手段として、第１発明の場合と同様に、前記入力筐体および前記出力筐体の少なくとも一方を絶縁材料からなるようにしたり、前記入力筐体および前記出力筐体の少なくとも一方を第１筐体に対して空隙を介して配置したりするようにしてもよい。なお、第１筐体が入力筐体および出力筐体に対して電気的に絶縁している場合、前記第１筐体を導電性材料、磁性材料、導電性材料および磁性材料の組み合わせ材料の中から選択されたいずれかの材料からなるようにしてもよい。このように、第１筐体が入力筐体および出力筐体に対して電気的に絶縁している場合、前記入力筐体および前記出力筐体の少なくとも一方を導電性材料、磁性材料、導電性材料および磁性材料の組み合わせ材料の中から選択されたいずれかの材料からなるようにしてもよい。こうすることによる具体的な効果は、上述した第１発明の場合と同様である。
【実施例】
【００２４】
実施例を示し本発明の電力変換装置について説明する。
【００２５】
（第１実施例）
以下、本発明の電力変換装置が備える電力変換回路を降圧ＤＣ−ＤＣコンバータとして具体化した第１実施例について説明する。
【００２６】
（構成）
まず、電力変換装置の構成について、図１および図２を用いて説明する。図１は、第１実施例における電力変換装置の外観構成図を示す。図２は、入力フィルタ回路２と、電力変換回路３と、出力フィルタ回路４とから構成されるブロック図を示す。ここで、電力変換装置には、図１に示されるように、ベースプレート１上に入力フィルタ回路２と、電力変換回路３と、出力フィルタ回路４とが実装されている。さらに、電力変換装置は、入力フィルタ回路２を入力側カバー（入力筐体）５で覆い、電力変換回路３を電力変換回路カバー（第１筐体）６で覆い、出力フィルタ回路４を出力側カバー（出力筐体）７で覆う構成としている。以下、電力変換装置を構成する各部について説明する。
【００２７】
入力フィルタ回路２は、図１および図２に示されるように、ベースプレート１上に実装され、チョークコイルとコンデンサ等からなる回路である。この入力フィルタ回路２は、配線１１を介して電力変換回路３に接続している。ここで、入力フィルタ回路２は、電力変換回路３から電力変換回路３の外部へ漏洩しようとするノイズおよび電力変換装置の外部から電力変換回路３へ混入しようとするノイズを低減する。そして、入力フィルタ回路２は、ノイズ低減された電圧および電流を出力する。なお、このノイズは、配線１１などに混入し伝達されるノイズであり、例えば、同相雑音と呼ばれるコモンモードノイズなどが考えられる。
【００２８】
電力変換回路３は、図１および図２に示されるように、ベースプレート１上に実装され、スイッチング素子３１と、トランス３２と、整流回路３３とからなる回路である。
【００２９】
スイッチング素子３１は、入力側を入力フィルタ回路２の出力側に配線１１を介して接続している。ここで、スイッチング素子３１がオン／オフ制御され、スイッチング素子３１は入力フィルタ回路２でノイズ低減された直流電圧を交流電圧に変換して出力する。
【００３０】
トランス３２は、入力側をスイッチング素子３１の出力側に接続している。ここで、トランス３２は、スイッチング素子３１から出力された交流電圧を所定電圧の交流電圧に降圧する。そして、トランス３２は、降圧された交流電圧を出力する。
【００３１】
整流回路３３は、入力側をトランス３２の出力側に接続している。ここで、整流回路３３は、トランス３２から出力された交流電圧を直流電圧に変換する。そして、整流回路３３は、変換された直流電圧を出力する。
【００３２】
出力フィルタ回路４は、図１および図２に示されるように、ベースプレート１上に実装され、チョークコイルとコンデンサ等からなる回路である。この出力フィルタ回路４は、電力変換回路３の出力側に接続している。具体的には、出力フィルタ回路４は、入力側を整流回路３３の出力側に配線１２を介して接続している。この出力フィルタ回路４は、電力変換回路３から電力変換回路３の外部へ漏洩しようとするノイズを低減する。さらに、出力フィルタ回路４は、整流回路３３から出力された直流電圧に混入するノイズを低減する。そして、出力フィルタ回路４は、ノイズ低減された直流電圧を電力変換装置外部へ出力する。なお、出力フィルタ回路４で低減されるノイズは、主に、スイッチング素子３１がオン／オフ制御されることにより交流電圧に混入するサージ電圧などである。
【００３３】
入力側カバー５は、樹脂材料からなり、蓋部を有する直方体状に形成されている（図１参照）。ここで、入力側カバー５内の空間は、入力フィルタ回路２よりわずかに大きい。また、入力側カバー５のうち電力変換回路３側の壁部には、配線１１の断面よりわずかに大きい略円形の切欠部５０が形成されている。この入力側カバー５は、配線１１の一部と入力フィルタ回路２とを覆うように、ベースプレート１上に配置されている。このとき、切欠部５０は、配線１１により貫通されている。
【００３４】
電力変換回路カバー６は、鉄材料（導電性材料）からなり、蓋部を有する直方体状に形成されている（図１参照）。ここで、電力変換回路カバー６内の空間は電力変換回路３よりわずかに大きい。また、電力変換回路カバー６のうち入力フィルタ回路２側の壁部には、切欠部５０に対向するように切欠部６０が形成されている。なお、切欠部６０は切欠部５０と略同形状である。一方、電力変換回路カバー６のうち出力フィルタ回路４側の壁部には、配線１２の断面よりわずかに大きい略円形の切欠部６１が形成されている。そこで、電力変換回路カバー６は、配線１１の一部と配線１２の一部と電力変換回路３とを覆うように、ベースプレート１上に配置されている。さらに、電力変換回路カバー６は、入力側カバー５に対してわずかな空隙を介してベースプレート１上に配置されている。つまり、電力変換回路カバー６は、ベースプレート１上で入力側カバー５に絶縁し並置されている。このとき、切欠部６０は配線１１により貫通され、切欠部６１は配線１２により貫通されている。
【００３５】
出力側カバー７は、樹脂材料からなり、蓋部を有する直方体状に形成されている（図１参照）。ここで、出力側カバー７内の空間は、出力フィルタ回路４よりわずかに大きい。また、出力側カバー７のうち電力変換回路３側の壁部には、切欠部６１に対向するように切欠部７０が形成されている。なお、切欠部７０は切欠部６１と略同形状である。この出力側カバー７は、配線１２の一部と出力フィルタ回路７とを覆うように、ベースプレート１上に配置されている。さらに、出力側カバー７は、変換回路カバー６に対してわずかな空隙を介してベースプレート１上に配置されている。つまり、出力側カバー７は、ベースプレート１上で電力変換回路カバー６に絶縁し並置されている。このとき、切欠部７０は、配線１２により貫通されている。
【００３６】
（ノイズ低減の効果）
つぎに、入力側カバー５と、電力変換回路カバー６と、出力側カバー７とから構成されるカバーによるノイズ低減の効果について説明する。はじめに、電力変換回路６によるノイズ低減の効果について説明し、つづいて、入力側カバー５、出力側カバー７の順に各々によるノイズ低減効果について説明する。
【００３７】
電力変換回路カバー６は、電力変換回路３から放射され空間伝搬し外部機器に混入しようとするノイズおよび外部機器から放射され空間伝搬し電力変換回路３に混入しようとするノイズを低減する。以下に、その理由を具体的に説明する。
【００３８】
電力変換回路３から放射され空間伝搬するノイズは、電力変換回路カバー６近傍で電磁誘導作用により、電力変換回路カバー６表面に渦電流を発生させる。この渦電流により、電力変換回路３から放射され外部機器に混入しようとするノイズは低減される。これと同様に、外部機器から放射され電力変換回路３に混入しようとするノイズも、渦電流により低減される。
【００３９】
ここで、例えば電力変換回路カバー６表面に発生した渦電流が入力側カバー５表面に流れた場合、入力側カバー５表面から、入力フィルタ回路２近傍に磁界を発生させる。この磁界の発生が電磁ノイズとして入力フィルタ回路２に混入し、入力フィルタ回路２のノイズ低減効果を損なわせる。これと同様に、渦電流が出力側カバー７表面に流れた場合、出力フィルタ回路４のノイズ低減効果は損なわれる。
【００４０】
しかしながら、本実施例の電力変換装置の構成によると、電力変換回路カバー６は、入力側カバー５および出力側カバー７に絶縁している。具体的には、入力側カバー５および出力側カバー７は、電力変換回路カバー６に対して空隙を介して配置されている。さらに、入力側カバー５および出力側カバー７は樹脂材料からなる。そのため、入力側カバー５および出力側カバー７のいずれにも電力変換回路カバー６表面に発生した渦電流は流れない。その結果、入力フィルタ回路２のノイズ低減効果および出力フィルタ回路４のノイズ低減効果が損なわれることなく、充分にノイズ低減された電圧が電力変換装置から出力される。
【００４１】
入力側カバー５は、電力変換回路３から空間伝搬し入力フィルタ回路に混入しようとするノイズを低減する。具体的には、入力側カバー５は、主にスイッチング素子３１がオン／オフ制御されることにより入力フィルタ回路２に混入しようとするノイズを低減する。
【００４２】
出力側カバー７は、出力フィルタ回路４を覆っている。本実施例の電力変換回路３は降圧ＤＣ−ＤＣコンバータであるため、電力変換回路３の出力側に接続している出力フィルタ回路４に流れる電流は大きくなる。これにともない、電力変換回路３から空間伝搬し出力フィルタ回路４に混入するノイズが大きくなる。具体的には、電力変換回路３のスイッチング素子３１がオン／オフ制御されることにより、出力フィルタ回路４に混入しようとするノイズが大きくなる。そこで、出力フィルタ回路４を出力側カバー７で覆うことにより、出力フィルタ回路４に混入しようとするノイズをより一層低減することができる。すなわち、電力変換回路３および出力フィルタ回路４を各々第１カバーおよび第２カバーで覆うことにより、充分にノイズ低減された電圧を電力変換装置から出力することができる。
【００４３】
以上示した本実施例の電力変換装置が備えるカバーにより、１つのカバーでフィルタ回路と電力変換装置とを覆った電力変換装置から出力されるＳ／Ｎ比（信号対ノイズ比）と比べて、本実施例の電力変換装置から出力されるＳ／Ｎ比は、およそ２０ｄＢ大きい結果となった。
【００４４】
（その他の実施例）
本発明の電力変換装置は、上記第１実施例に限定されるものではなく、様々な実施形態に変形可能である。例えば、第１実施例の電力変換回路を昇圧ＤＣ−ＤＣコンバータ、ＡＣ−ＤＣコンバータ、ＤＣ−ＡＣインバータとしてもよい。また、第１実施例のように入力側カバーおよび出力側カバーが電力変換回路に対して空隙を介して配置されている場合、入力側カバーの材料および出力側カバーの材料は、導電性材料、磁性材料、導電性材料および磁性材料の組み合わせ材料の中から選択されたいずれかの材料からなるようにしてもよい。もちろん、入力側カバーまたは出力側カバーの一方を導電性材料、磁性材料、導電性材料および磁性材料の組み合わせ材料の中から選択されたいずれかの材料からなるようにし、他方を絶縁性材料からなるようにしてもよい。
【００４５】
また、電力変換装置が、上記第１実施例と同様に、入力フィルタ回路と出力フィルタ回路とを備える場合、入力フィルタ回路と電力変換回路とを一方の第１筐体で覆い、出力フィルタ回路を他方の第２筐体で覆うような構成にしてもよい。上述したように、電力変換回路が降圧ＤＣ−ＤＣコンバータの場合、特に、電力変換回路から出力フィルタ回路に混入しようとするノイズが大きくなる。そのため、少なくとも電力変換回路と出力フィルタ回路とを異なる筐体で覆うことにより、充分にノイズ低減された電圧を電力変換装置から出力することができる。
【図面の簡単な説明】
【００４６】
【図１】第１実施例における電力変換装置の外観構成図である。
【図２】入力フィルタ回路２と、電力変換回路３と、出力フィルタ回路４とから構成されるブロック図である。
【符号の説明】
【００４７】
１：ベースプレート  ２：入力フィルタ回路  ３：電力変換回路
４：出力フィルタ回路  ５：入力側カバー（入力筐体）
６：電力変換回路カバー（第１筐体）  ７：出力側カバー（出力筐体）
１１、１２：配線
３１：スイッチング素子  ３２：トランス  ３３：整流回路
５０、６０、６１、７０：切欠部
【図１】
2006180578.tif 000003
【図２】
2006180578.tif 000004